(57)【要約】【課題】番組受信機の記憶領域を効率的に使用することができるとともに、番組の途中から録画する場合や、番組を録画せずに視聴する場合でも、新しい広告を再生することができるようにする。【解決手段】録画されている番組を再生する操作がなされた場合、広告配信装置３から広告識別情報が示す広告を受信する広告受信部４５を設け、録画されている番組を再生する操作がなされた場合、データ記憶部４８に録画されている番組の本編及び広告受信部４５により受信された広告を再生し、録画されていない番組を再生する操作がなされた場合、ストリーム分離部４２により分離された番組の本編及び広告を再生する。【選択図】図１
2010283738.tif 000002
【特許請求の範囲】
【請求項１】
番組の本編、広告及び上記広告を識別する広告識別情報からストリームを生成し、上記ストリームを配信する番組放送装置と、上記広告を配信する広告配信装置と、上記番組放送装置から配信されたストリームを受信するとともに、上記広告配信装置から配信された広告を受信する番組受信機とを備えた番組放送システムにおいて、上記番組受信機は、上記番組放送装置から配信されたストリームを受信するストリーム受信手段と、上記ストリーム受信手段により受信されたストリームから番組の本編、広告及び広告識別情報を分離する分離手段と、番組を録画する操作がなされた場合、上記分離手段により分離された番組の本編をデータ記憶部に録画するとともに、上記分離手段により分離された広告識別情報を上記データ記憶部に記録する録画手段と、録画されている番組を再生する操作がなされた場合、上記データ記憶部に記録されている広告識別情報が示す広告の配信要求を上記広告配信装置に送信して、上記広告配信装置から上記広告識別情報が示す広告を受信する広告受信手段と、録画されている番組を再生する操作がなされた場合、上記データ記憶部に録画されている番組の本編及び上記広告受信手段により受信された広告を再生し、録画されていない番組を再生する操作がなされた場合、上記分離手段により分離された番組の本編及び広告を再生する再生手段とから構成されていることを特徴とする番組放送システム。
【請求項２】
広告受信手段は、広告識別情報が示す広告を記憶している広告配信装置を管理する広告管理装置が設けられている場合、データ記憶部に記録されている広告識別情報が示す広告を記憶している広告配信装置を特定する特定情報の配信要求を上記広告管理装置に送信して、上記広告管理装置から上記広告配信装置の特定情報を受信し、上記データ記憶部に記録されている広告識別情報が示す広告の配信要求を上記特定情報に係る広告配信装置に送信して、上記広告配信装置から上記広告識別情報が示す広告を受信することを特徴とする請求項１記載の番組放送システム。
【請求項３】
広告配信装置が番組受信機から広告識別情報が示す広告の配信要求を受信すると、上記広告識別情報が示す広告からストリームを生成して、上記ストリームを上記番組受信機に配信する場合、
広告受信手段は、上記広告配信装置から配信されたストリームを受信し、
再生手段は、上記広告受信手段により受信されたストリームから広告を再生することを特徴とする請求項１または請求項２記載の番組放送システム。
【請求項４】
広告配信装置が番組受信機から広告識別情報が示す広告の配信要求を受信すると、上記広告識別情報が示す広告をダウンロード配信する場合、
広告受信手段は、上記広告配信装置からダウンロード配信された広告を受信し、
録画手段は、上記広告受信手段により受信された広告をデータ記憶部に録画し、
再生手段は、上記データ記憶部に録画されている広告を再生することを特徴とする請求項１または請求項２記載の番組放送システム。
【請求項５】
録画手段は、分離手段により分離された広告が録画対象の広告であれば、上記広告をデータ記憶部に録画し、
再生手段は、録画されている番組を再生する操作がなされた場合、上記データ記憶部に録画されている番組の本編を再生するとともに、上記データ記憶部に広告が録画されていれば、上記広告を再生し、上記データ記憶部に広告が録画されていなければ、上記広告受信手段により受信された広告を再生することを特徴とする請求項１または請求項２記載の番組放送システム。
【請求項６】
データ記憶部に記録されている番組の本編及び広告識別情報を他の記録媒体に複製する複製手段を設けたことを特徴とする請求項１または請求項２記載の番組放送システム。
【請求項７】
データ記憶部に記録されている番組の本編及び広告受信手段により受信された広告を他の記録媒体に複製する複製手段を設けたことを特徴とする請求項１または請求項２記載の番組放送システム。
【請求項８】
広告管理装置は、広告配信装置による広告の配信回数を集計する配信回数集計手段を備えていることを特徴とする請求項２記載の番組放送システム。
【請求項９】
番組の本編、広告及び上記広告を識別する広告識別情報から生成されているストリームを受信するストリーム受信手段と、上記ストリーム受信手段により受信されたストリームから番組の本編、広告及び広告識別情報を分離する分離手段と、番組を録画する操作がなされた場合、上記分離手段により分離された番組の本編をデータ記憶部に録画するとともに、上記分離手段により分離された広告識別情報を上記データ記憶部に記録する録画手段と、録画されている番組を再生する操作がなされた場合、上記データ記憶部に記録されている広告識別情報が示す広告の配信要求を広告配信装置に送信して、上記広告配信装置から上記広告識別情報が示す広告を受信する広告受信手段と、録画されている番組を再生する操作がなされた場合、上記データ記憶部に録画されている番組の本編及び上記広告受信手段により受信された広告を再生し、録画されていない番組を再生する操作がなされた場合、上記分離手段により分離された番組の本編及び広告を再生する再生手段とを備えた番組受信機。
【発明の詳細な説明】
【技術分野】
【０００１】
この発明は、番組を配信する番組放送装置や、番組放送装置から配信された番組を受信して再生する番組受信機などから構成されている番組放送システムに関するものである。
【背景技術】
【０００２】
従来の番組放送システムでは、番組受信機が番組放送装置から配信される番組を受信し、その番組を録画して再生する場合、番組の本編だけでなく、番組に含まれている広告も録画している。
このため、番組を再生する際、番組の本編だけでなく、広告も一緒に再生している。
ただし、番組が録画されてから再生されるまでに多くの日数が経過しているような場合には、録画された広告が古くなり、広告としての意味をなしていないことがある。
【０００３】
そこで、以下の特許文献１に開示されている番組放送システムでは、番組受信機が常に新しい広告を再生することができるようにするために、番組放送装置が番組を配信する際、サーバからネットワーク経由で新しい広告を取得する際に用いる広告管理情報を番組の先頭に付加して配信するようにしている。
番組受信機は、番組放送装置から配信される番組の本編及び広告を録画することに加えて、番組の先頭に付加されている広告管理情報を記憶し、番組を再生する際、その広告管理情報を用いて、サーバからネットワーク経由で新しい広告を取得し、録画されている古い広告を新しい広告に差し替えて再生する。
【０００４】
また、以下の特許文献２に開示されている番組放送システムでは、番組放送装置が番組を配信する際、サーバからネットワーク経由で新しい広告を取得する際に用いる広告管理情報を番組の本編に埋め込んで配信する。
番組受信機は、番組放送装置から配信される番組の本編を録画するとともに、番組の本編に埋め込まれている広告管理情報を記憶し、番組を再生する際、その広告管理情報を用いて、サーバからネットワーク経由で新しい広告を取得して再生する。
【先行技術文献】
【特許文献】
【０００５】
【特許文献１】特開２００１−２８５８３５号公報（段落番号［０００９］）
【特許文献２】特開２００４−２３５８４６号公報（段落番号［０００７］）
【発明の概要】
【発明が解決しようとする課題】
【０００６】
従来の番組放送システムは以上のように構成されているので、特許文献１の場合、番組受信機が番組の途中から録画する場合、番組の先頭に付加されている広告管理情報を記憶することができない。このため、広告管理情報を用いて、新しい広告を取得して再生することができない。また、番組を録画する際、番組の本編と広告を区別することなく録画しているため、番組受信機の記憶領域の一部が広告の録画データで消費されてしまって、本編の録画時間が短くなってしまう課題があった。
また、特許文献２の場合、番組受信機が番組の本編に埋め込まれている広告管理情報を記憶するが、広告自体は録画しない。このため、番組受信機が番組を録画せずに視聴する場合、広告が表示されない課題があった。
【０００７】
この発明は上記のような課題を解決するためになされたもので、番組受信機の記憶領域が広告の録画データで消費されることなく、その記憶領域を効率的に使用することができるとともに、番組受信機が番組の途中から録画する場合や、番組を録画せずに視聴する場合でも、新しい広告を再生することができる番組放送システムを得ることを目的とする。
【０００８】
また、この発明は、記憶領域が広告の録画データで消費されることなく、その記憶領域を効率的に使用することができるとともに、番組の途中から録画する場合や、番組を録画せずに視聴する場合でも、新しい広告を再生することができる番組受信機を得ることを目的とする。
【課題を解決するための手段】
【０００９】
この発明に係る番組放送システムは、番組放送装置から配信されたストリームを受信するストリーム受信手段と、ストリーム受信手段により受信されたストリームから番組の本編、広告及び広告識別情報を分離する分離手段と、番組を録画する操作がなされた場合、分離手段により分離された番組の本編をデータ記憶部に録画するとともに、分離手段により分離された広告識別情報をデータ記憶部に記録する録画手段と、録画されている番組を再生する操作がなされた場合、データ記憶部に記録されている広告識別情報が示す広告の配信要求を広告配信装置に送信して、その広告配信装置から広告識別情報が示す広告を受信する広告受信手段とを設け、再生手段が、録画されている番組を再生する操作がなされた場合、データ記憶部に録画されている番組の本編及び広告受信手段により受信された広告を再生し、録画されていない番組を再生する操作がなされた場合、分離手段により分離された番組の本編及び広告を再生するようにしたものである。
【発明の効果】
【００１０】
この発明によれば、番組放送装置から配信されたストリームを受信するストリーム受信手段と、ストリーム受信手段により受信されたストリームから番組の本編、広告及び広告識別情報を分離する分離手段と、番組を録画する操作がなされた場合、分離手段により分離された番組の本編をデータ記憶部に録画するとともに、分離手段により分離された広告識別情報をデータ記憶部に記録する録画手段と、録画されている番組を再生する操作がなされた場合、データ記憶部に記録されている広告識別情報が示す広告の配信要求を広告配信装置に送信して、その広告配信装置から広告識別情報が示す広告を受信する広告受信手段とを設け、再生手段が、録画されている番組を再生する操作がなされた場合、データ記憶部に録画されている番組の本編及び広告受信手段により受信された広告を再生し、録画されていない番組を再生する操作がなされた場合、分離手段により分離された番組の本編及び広告を再生するように構成したので、番組受信機の記憶領域が広告の録画データで消費されることなく、その記憶領域を効率的に使用することができるとともに、番組受信機が番組の途中から録画する場合や、番組を録画せずに視聴する場合でも、新しい広告を再生することができる効果がある。
【図面の簡単な説明】
【００１１】
【図１】この発明の実施の形態１による番組放送システムを示す構成図である。
【図２】番組放送装置１及び番組受信機４が番組等のストリームを送受信する際の処理内容を示すシーケンスである。
【図３】番組受信機４におけるストリームの録画処理を示すフローチャートである。
【図４】広告管理装置２が番組放送装置１及び広告配信装置３により配信される広告を登録する際の処理内容を示すフローチャートである。
【図５】番組放送装置１により配信されるストリームの構成例を示す説明図である。
【図６】広告管理装置２により生成された広告識別情報の一例を示す説明図である。
【図７】広告管理装置２により管理されている広告管理情報の一例を示す説明図である。
【図８】番組受信機４のデータ記憶部４８に記録される録画データの一例を示す説明図である。
【図９】番組受信機４における番組の再生処理を示すフローチャートである。
【図１０】広告管理装置２、広告配信装置３及び番組受信機４が広告を送受信する際の処理内容を示すシーケンスである。
【図１１】番組受信機４と広告管理装置２により送受信される広告管理情報の配信要求と広告管理情報の一例を示す説明図である。
【図１２】広告管理装置２において、図７の広告管理情報が管理されている場合、広告管理装置２から番組受信機４に送信される広告管理情報の一例を示す説明図である。
【図１３】番組受信機４と広告配信装置３により送受信される広告配信要求と広告配信応答の一例を示す説明図である。
【図１４】番組受信機４が録画された番組の本編及び広告を途切れることなく再生するために、再生部４６のバッファを制御する一例を示す説明図である。
【図１５】この発明の実施の形態１による他の番組放送システムを示す構成図である。
【図１６】広告配信装置３及び番組受信機４が広告を送受信する際の処理内容を示すシーケンスである。
【図１７】広告配信装置３の広告管理部３４により生成された広告識別情報の一例を示す説明図である。
【図１８】広告配信装置３の広告記憶部３３に記憶されている広告管理情報の一例を示す説明図である。
【図１９】番組受信機４と広告配信装置３により送受信される広告配信要求と広告配信応答の一例を示す説明図である。
【図２０】この発明の実施の形態２による番組放送システムを示す構成図である。
【図２１】この発明の実施の形態３による番組放送システムを示す構成図である。
【図２２】広告管理装置２により管理されている広告管理情報の一例を示す説明図である。
【図２３】番組受信機４が録画された番組を再生する際に、広告（２）がダウンロードされている場合のデータ記憶部５１の記憶内容の一例を示す説明図である。
【図２４】この発明の実施の形態４による番組放送システムを示す構成図である。
【図２５】番組受信機４におけるストリームの録画処理を示すフローチャートである。
【図２６】この発明の実施の形態５による番組放送システムを示す構成図である。
【図２７】データ記憶部４８に記録されている番組の本編及び広告識別情報を複製する際の録画データの一例を示す説明図である。
【図２８】データ記憶部４８に記録されている番組の本編及び広告識別情報と広告受信部４５により受信された広告を複製する際の録画データの一例を示す説明図である。
【図２９】この発明の実施の形態６による番組放送システムを示す構成図である。
【発明を実施するための形態】
【００１２】
実施の形態１．
図１はこの発明の実施の形態１による番組放送システムを示す構成図である。
図１において、番組放送装置１は番組の本編、広告及び広告を識別する広告識別情報（例えば、広告管理装置２のホスト名と、広告を一意に識別する広告ＩＤとから構成されている情報）からストリームを生成し、そのストリームをネットワーク５経由で番組受信機４に配信する処理を実施する。
広告管理装置２は番組放送装置１から配信されるストリームに含まれている広告識別情報が示す広告を記憶している広告配信装置３を管理しており、番組受信機４からネットワーク５経由で、広告ＩＤを含む広告管理情報の配信要求（広告配信装置３を特定する特定情報の配信要求）を受信すると、その広告ＩＤが付与されている広告を記憶している広告配信装置３を特定し、その広告配信装置３のホスト名（特定情報）と当該広告ＩＤが付与されている広告の広告ファイル名とを含む広告管理情報をネットワーク５経由で番組受信機４に送信する処理を実施する。
【００１３】
広告配信装置３は各種の広告を記憶しており、番組受信機４からネットワーク５経由で広告ファイル名を含む広告配信要求を受信すると、その広告配信要求に含まれている広告ファイル名の広告をネットワーク５経由で番組受信機４に配信する処理を実施する。
番組受信機４は番組放送装置１から配信されたストリームを受信し、そのストリームから番組の本編を分離して、番組の本編を再生するとともに、そのストリームから広告識別情報を分離して、広告配信装置３から広告識別情報が示す広告を受信し、その広告を再生する処理などを実施する。
【００１４】
番組放送装置１の番組記憶部１１は例えばハードディスクなどの記憶装置であり、番組の本編、広告及び広告識別情報を記憶している。
番組放送装置１のストリーム生成部１２は番組記憶部１１により記憶されている番組の本編、広告及び広告識別情報からストリームを生成する処理を実施する。
ここで、ストリームは、番組の本編及び広告の映像や音声などがＨ．２６４やＭＰＥＧ−２などの符号化方式で符号化されている符号化データと、その広告を識別する広告識別情報とから構成されたデータである。ただし、このデータは、ネットワーク５経由で配信するためにＩＰパケット化されている。
番組放送装置１のストリーム配信部１３はストリーム生成部１２により生成されたストリームをネットワーク５経由で番組受信機４に配信する処理を実施する。
【００１５】
広告管理装置２の広告管理情報記憶部２１は例えばハードディスクなどの記憶装置であり、番組放送装置１により配信される広告識別情報が示す広告を記憶している広告配信装置３のホスト名と、その広告識別情報が示す広告の広告ファイル名とを含む広告管理情報を記憶している。
広告管理装置２の広告管理部２２は番組受信機４からネットワーク５経由で、広告識別情報を含む広告管理情報の配信要求を受信すると、広告管理情報記憶部２１から当該広告識別情報に対応する広告管理情報（広告配信装置３のホスト名、広告ファイル名）を読み込み、その広告管理情報をネットワーク５経由で番組受信機４に送信する処理を実施する。
【００１６】
広告配信装置３の広告記憶部３１は例えばハードディスクなどの記憶装置であり、各種の広告を記憶している。
広告配信装置３の広告配信部３２は番組受信機４からネットワーク５経由で広告ファイル名を含む広告配信要求を受信すると、広告記憶部３１から広告配信要求に含まれている広告ファイル名の広告を読み込み、その広告をネットワーク５経由で番組受信機４に配信する処理を実施する。
【００１７】
番組受信機４のストリーム受信部４１は番組放送装置１から配信されたストリームを受信する処理を実施する。なお、ストリーム受信部４１はストリーム受信手段を構成している。
番組受信機４のストリーム分離部４２はストリーム受信部４１により受信されたストリームから番組の本編、広告及び広告識別情報を分離する処理を実施する。
ただし、ストリーム分離部４２は、ストリームから番組の本編、広告及び広告識別情報を分離する際、ストリームをネットワーク配信するために、番組放送装置１によって付与されたＩＰパケットのヘッダ部分等をストリームから削除するようにしてもよい。
なお、ストリーム分離部４２は分離手段を構成している。
【００１８】
番組受信機４の録画部４３はユーザがユーザ入力部４７を操作して、番組の録画設定を行うと、ストリーム分離部４２により分離された番組の本編をデータ記憶部４８に録画するとともに、ストリーム分離部４２により分離された広告識別情報をデータ記憶部４８に記録する処理を実施する。なお、録画部４３は録画手段を構成している。
録画データ再生制御部４４はユーザがユーザ入力部４７を操作して、録画されている番組の再生指示を行うと、データ記憶部４８に録画されている番組の本編を読み込んで、番組の本編を再生部４６に出力するとともに、データ記憶部４８に記録されている広告識別情報を読み込んで、その広告識別情報を広告受信部４５に出力する処理を実施する。
【００１９】
番組受信機４の広告受信部４５は録画データ再生制御部４４から出力された広告識別情報内の広告ＩＤを含む広告管理情報の配信要求を広告管理装置２に送信して、広告管理装置２から当該広告ＩＤに対応する広告管理情報（広告配信装置３のホスト名、広告ファイル名）を受信し、その広告ファイル名を含む広告配信要求を上記ホスト名を持つ広告配信装置３に送信して、その広告配信装置３から上記広告ファイル名の広告を受信する処理を実施する。
なお、録画データ再生制御部４４及び広告受信部４５から広告受信手段が構成されている。
【００２０】
番組受信機４の再生部４６はユーザがユーザ入力部４７を操作して、録画されている番組の再生指示を行うと、録画データ再生制御部４４によりデータ記憶部４８から読み込まれた番組の本編及び広告受信部４５により受信された広告をＨ．２６４やＭＰＥＧ−２等の符号化方式にしたがって映像や音声等のデータに復号化して再生する処理を実施する。
また、再生部４６はユーザがユーザ入力部４７を操作して、録画されていない番組の再生指示を行うと、ストリーム分離部４２により分離された番組の本編及び広告をＨ．２６４やＭＰＥＧ−２等の符号化方式にしたがって映像や音声等のデータに復号化して再生する処理を実施する。
なお、再生部４６は再生手段を構成している。
【００２１】
番組受信機４のユーザ入力部４７は例えばリモコンや、番組受信機４の前面に設けられている操作部などのユーザインタフェースであり、番組の録画設定操作や番組の再生操作などを受け付ける処理を実施する。
番組受信機４のデータ記憶部４８は例えばハードディスクなどの記憶装置であり、番組の本編や広告識別情報などを記憶する。
【００２２】
次に動作について説明する。
最初に、番組放送装置１から配信される番組等のストリームを番組受信機４が受信する際の処理内容を説明する。
ここで、図２は番組放送装置１及び番組受信機４が番組等のストリームを送受信する際の処理内容を示すシーケンスであり、図３は番組受信機４におけるストリームの録画処理を示すフローチャートである。
【００２３】
まず、番組放送装置１のストリーム生成部１２は、番組記憶部１１により記憶されている番組の本編、広告及び広告識別情報からストリームを生成する（図２のステップＳＴ１）。
番組放送装置１のストリーム配信部１３は、ストリーム生成部１２がストリームを生成すると、そのストリームの配信を開始する（ステップＳＴ２）。
【００２４】
番組受信機４のストリーム受信部４１は、番組放送装置１がストリームの配信を開始すると、そのストリームの受信を開始する（ステップＳＴ３）。
番組受信機４の録画部４３は、ユーザにより番組の録画設定が行われている場合、そのストリームに含まれている番組の本編をデータ記憶部４８に録画し、そのストリームに含まれている広告識別情報をデータ記憶部４８に記録する（ステップＳＴ４）。ステップＳＴ４の処理内容の詳細は後述する。
【００２５】
番組放送装置１のストリーム配信部１３は、番組の終了時刻になると、ストリーム生成部１２により生成されたストリームの配信を終了する（ステップＳＴ５）。
番組受信機４のストリーム受信部４１は、番組放送装置１がストリームの配信を終了すると、そのストリームの受信を終了する（ステップＳＴ６）。
【００２６】
ここで、ステップＳＴ４の処理内容の詳細を説明する。
番組受信機４のストリーム分離部４２は、ストリーム受信部４１が番組放送装置１から配信されたストリームを受信すると（図２のステップＳＴ３、図３のステップＳＴ１１）、そのストリームから番組の本編、広告及び広告識別情報を分離する（図３のステップＳＴ１２）。
【００２７】
番組受信機４の録画部４３は、ユーザがユーザ入力部４７を操作して、番組の録画設定を行っている場合、ストリーム分離部４２により分離されて出力されたストリームが番組の本編であれば（ステップＳＴ１３“ＮＯ”）、番組の本編をデータ記憶部４８に録画する（ステップＳＴ１４）。
一方、ストリーム分離部４２により分離されて出力されたストリームが広告であれば（ステップＳＴ１３“ＹＥＳ”）、その広告を識別する広告識別情報をデータ記憶部４８に記録する（ステップＳＴ１５）。
【００２８】
ユーザがユーザ入力部４７を操作して、番組の録画を終了する指示を与えた場合や、番組の予約時間の終了時刻になると（ステップＳＴ１６“ＹＥＳ”）、録画処理を終了する。
一方、録画処理を継続する場合には（ステップＳＴ１６“ＮＯ”）、ステップＳＴ１１〜ＳＴ１６の処理を繰り返し実施する。
これにより、番組の本編及び広告識別情報がデータ記憶部４８に記録されるが、番組の広告については、データ記憶部４８に録画されないので、データ記憶部４８が広告の録画データによって消費されず、効率的に使用することができる。
【００２９】
次に、広告管理装置２が番組放送装置１及び広告配信装置３により配信される広告を登録する際の処理内容を説明する。
図４は広告管理装置２が番組放送装置１及び広告配信装置３により配信される広告を登録する際の処理内容を示すフローチャートである。
【００３０】
広告管理装置２の広告管理部２２は、いずれかの装置によって広告が作成されると、その広告が番組放送装置１により配信される広告であれば（ステップＳＴ２１“ＹＥＳ”）、その広告を一意に識別する広告識別情報を生成する（ステップＳＴ２２）。
広告管理部２２は、その広告を識別する広告識別情報を生成すると、その広告と広告識別情報を番組放送装置１の番組記憶部１１に登録し（ステップＳＴ２３）、その広告を広告配信装置３の広告記憶部３１に登録する（ステップＳＴ２４）。
また、広告管理部２２は、その広告識別情報が示す広告を記憶している広告配信装置３を特定する特定情報である広告配信装置３のホスト名と、その広告の広告ファイル名とを含む広告管理情報を広告管理情報記憶部２１に登録する（ステップＳＴ２５）。
【００３１】
広告管理部２２は、いずれかの装置によって作成された広告が番組放送装置１により配信される広告でなく（例えば、以前、番組放送装置１により配信された広告の改訂版の広告（新しい広告））、番組受信機４からの広告配信要求に伴って配信される広告であれば（ステップＳＴ２１“ＮＯ”）、その広告を広告配信装置３の広告記憶部３１に登録する（ステップＳＴ２６）。
また、広告管理部２２は、広告管理情報記憶部２１における広告管理情報を更新する（ステップＳＴ２７）。
即ち、広告管理部２２は、広告配信装置３の広告記憶部３１に登録した広告が、例えば、以前、番組放送装置１により配信された広告の改訂版であることが分かるように広告管理情報を更新する。
【００３２】
これにより、番組放送装置１により配信される広告と、広告配信装置３により配信される広告との対応付けが行われる。
なお、広告管理装置２の広告管理部２２は、番組受信機４から広告配信要求を受けると、その広告配信要求に含まれている広告識別情報が示す広告の改訂版が未だ広告配信装置３の広告記憶部３１に登録されていなければ、改訂前の広告に関する広告管理情報（広告配信装置３のホスト名、改訂前の広告の広告ファイル名）を番組受信機４に送信し、その広告識別情報が示す広告の改訂版が既に広告配信装置３の広告記憶部３１に登録されていれば、改訂版の広告に関する広告管理情報（広告配信装置３のホスト名、改訂版の広告の広告ファイル名）を番組受信機４に送信する。
【００３３】
ここで、図５は番組放送装置１により配信されるストリームの構成例を示す説明図である。
図５の例では、番組（１）は本編Ａと本編Ｂの間に、広告（１）と広告（２）が挿入された構成となっており、番組放送装置１のストリーム生成部１２によりストリームが生成される際に、広告管理装置２の広告管理部２２により生成された広告識別情報（１）が広告（１）に付加され、また、広告識別情報（２）が広告（２）に付加されている。
これにより、番組放送装置１のストリーム配信部１３により配信されるストリームでは、広告（１）（２）と広告識別情報（１）（２）が同時に配信されることになる。
【００３４】
図６は広告管理装置２により生成された広告識別情報の一例を示す説明図である。
図６の例では、広告識別情報が、広告管理装置４のホスト名と広告ＩＤによって構成されている。
例えば、広告識別情報（１）は、広告管理装置２のホスト名として、“ｃｍ＿ｍａｎａｇｅｒ．ｘｘｘ．ｃｏ．ｊｐ”が設定され、広告ＩＤとして、“ｃｍ０１”が設定されている。
また、広告識別情報（２）は、広告管理装置２のホスト名として、“ｃｍ＿ｍａｎａｇｅｒ．ｘｘｘ．ｃｏ．ｊｐ”が設定され、広告ＩＤとして、“ｃｍ０２”が設定されている。
【００３５】
図７は広告管理装置２により管理されている広告管理情報の一例を示す説明図である。
図７の例では、広告管理情報が、広告ＩＤ、広告配信装置３のホスト名及び広告ファイル名によって構成されている。
例えば、広告ＩＤが“ｃｍ０１”の広告情報は、広告配信装置３のホスト名として、“ｃｍ＿ｓｅｒｖｅｒ．ｘｘｘ．ｃｏ．ｊｐ”が設定され、広告ファイル名として、“ｓｐｏｎｓｏｒ０１／ｃｍ＿０９０３０１＿１２００．ｔｔｓ”が設定されている。
また、広告ＩＤが“ｃｍ０２”の広告情報は、広告配信装置３のホスト名として、“ｃｍ＿ｓｅｒｖｅｒ．ｘｘｘ．ｃｏ．ｊｐ”が設定され、広告ファイル名として、“ｓｐｏｎｓｏｒ０２／ｃｍ＿０９０３１５＿１８００．ｔｔｓ”が設定されている。
【００３６】
図８は番組受信機４のデータ記憶部４８に記録される録画データの一例を示す説明図である。
図８の例では、図５に示す番組（１）のストリームを受信した場合の録画データを示している。
録画データは、ストリームにおける番組の本編と広告の再生順序を示す順序情報と、番組の本編と広告を識別する種別情報と、録画データとして記憶される内容（本編のストリーム、または、広告を識別する広告識別情報）とから構成されている。
【００３７】
次に、番組受信機４が録画されている番組を再生する際の処理内容を説明する。
図９は番組受信機４における番組の再生処理を示すフローチャートである。
録画データ再生制御部４４は、ユーザがユーザ入力部４７を操作して、録画されている番組の再生指示を行うと、データ記憶部４８に記録されている録画データを読み込み（ステップＳＴ３１）、その録画データにおける種別情報が、本編を示しているのか、広告を示しているのかを判別する（ステップＳＴ３２）。
【００３８】
録画データ再生制御部４４は、録画データにおける種別情報が、本編である旨を示していれば（ステップＳＴ３２“ＮＯ”）、その録画データの記憶内容である本編のストリームを読み込み（ステップＳＴ３３）、本編のストリームを再生部４６に与える。
再生部４６は、録画データ再生制御部４４から本編のストリームを受けると、本編のストリームを復号化して再生する（ステップＳＴ３４）。
【００３９】
録画データ再生制御部４４は、録画データにおける種別情報が、広告である旨を示していれば（ステップＳＴ３２“ＹＥＳ”）、その録画データの記憶内容である広告識別情報を読み込み（ステップＳＴ３５）、その広告識別情報を広告受信部４５に出力する。
広告受信部４５は、録画データ再生制御部４４から広告識別情報を受けると、その広告識別情報に含まれているホスト名の広告管理装置２に対して、その広告識別情報内の広告ＩＤを含む広告管理情報の配信要求を送信する。
例えば、録画データ再生制御部４４から出力された広告識別情報が図６の広告識別情報（１）であれば、ホスト名が“ｃｍ＿ｍａｎａｇｅｒ．ｘｘｘ．ｃｏ．ｊｐ”の広告管理装置２に対して、広告ＩＤ“ｃｍ０１”を含む広告管理情報の配信要求を送信する。
【００４０】
広告管理装置２の広告管理部２２は、番組受信機４の広告受信部４５から広告識別情報内の広告ＩＤを含む広告管理情報の配信要求を受信すると、広告管理情報記憶部２１に記憶されている広告管理情報の中から、その広告ＩＤが付与されている広告管理情報を検索し、その広告管理情報を番組受信機４に送信する。
例えば、広告管理情報の配信要求に含まれている広告ＩＤが“ｃｍ０１”であれば、広告配信装置３のホスト名が“ｃｍ＿ｓｅｒｖｅｒ．ｘｘｘ．ｃｏ．ｊｐ”、広告ファイル名が“ｓｐｏｎｓｏｒ０１／ｃｍ＿０９０３０１＿１２００．ｔｔｓ”である旨を示す広告管理情報を番組受信機４に送信する。
【００４１】
番組受信機４の広告受信部４５は、広告管理装置２の広告管理部２２から広告管理情報を受信すると（ステップＳＴ３６）、その広告管理情報に含まれているホスト名の広告配信装置３に対して、その広告管理情報における広告ファイル名を含む広告配信要求を送信する。
例えば、広告管理情報における広告配信装置３のホスト名が“ｃｍ＿ｓｅｒｖｅｒ．ｘｘｘ．ｃｏ．ｊｐ”、広告ファイル名が“ｓｐｏｎｓｏｒ０１／ｃｍ＿０９０３０１＿１２００．ｔｔｓ”であれば、ホスト名が“ｃｍ＿ｓｅｒｖｅｒ．ｘｘｘ．ｃｏ．ｊｐ”の広告配信装置３に対して、広告ファイル名“ｓｐｏｎｓｏｒ０１／ｃｍ＿０９０３０１＿１２００．ｔｔｓ”を含む広告配信要求を送信する。
【００４２】
広告配信装置３の広告配信部３２は、番組受信機４の広告受信部４５から広告ファイル名を含む広告配信要求を受信すると、広告記憶部３１に記憶されている広告の中から、その広告ファイル名の広告を検索し、その広告を番組受信機４に配信する。
番組受信機４の広告受信部４５は、広告配信装置３の広告配信部３２から広告を受信すると（ステップＳＴ３７）、その広告を再生部４６に出力する。
再生部４６は、広告受信部４５から広告を受けると、その広告を再生する（ステップＳＴ３８）。
ステップＳＴ３１〜ＳＴ３９の処理は、再生が終了するまで繰り返し実施される（ステップＳＴ３９）。
【００４３】
ここでは、番組受信機４が録画されている番組を再生する際の処理内容を説明したが、録画されていない番組を再生する場合、次のようにして、番組の本編と広告を再生する。
即ち、再生部４６は、ユーザがユーザ入力部４７を操作して、録画されていない番組の再生指示を行うと、ストリーム分離部４２により分離された番組の本編及び広告のストリームを取得する。
再生部４６は、ストリーム分離部４２から番組の本編及び広告のストリームを取得すると、番組の本編及び広告のストリームを復号化して再生する。
【００４４】
次に、番組受信機４が録画されている番組を再生する際に、広告配信装置３から広告を受信して再生する処理内容を説明する。
図１０は広告管理装置２、広告配信装置３及び番組受信機４が広告を送受信する際の処理内容を示すシーケンスである。
【００４５】
番組受信機４は、ユーザが録画されている番組の再生指示を行うと、再生処理を開始する（ステップＳＴ４１）。
即ち、番組受信機４の録画データ再生制御部４４は、ユーザがユーザ入力部４７を操作して、録画されている番組の再生指示を行うと、上述したように、データ記憶部４８に記録されている録画データを読み込み、その録画データにおける種別情報が本編を示していれば、その録画データの記憶内容である本編のストリームを再生部４６に出力し、その録画データにおける種別情報が広告を示していれば、その録画データの記憶内容である広告識別情報を広告受信部４５に出力する。
ここでは、説明の便宜上、ユーザが図５に示す番組（１）の再生指示を行っているものとする。
したがって、この場合、録画データ再生制御部４４が本編Ａのストリームを再生部４６に出力したのち、広告識別情報（１）及び広告識別情報（２）を広告受信部４５に出力し、その後、本編Ｂのストリームを再生部４６に出力する。
【００４６】
番組受信機４の再生部４６は、録画データ再生制御部４４から本編Ａのストリームを受けると、本編Ａのストリームを再生する（ステップＳＴ４２）。
番組受信機４の広告受信部４５は、録画データ再生制御部４４から広告識別情報（１）を受けると、その広告識別情報（１）に含まれているホスト名“ｃｍ＿ｍａｎａｇｅｒ．ｘｘｘ．ｃｏ．ｊｐ”の広告管理装置２に対して、その広告識別情報（１）の広告ＩＤ“ｃｍ０１”を含む広告管理情報の配信要求を送信する（ステップＳＴ４３）。
【００４７】
広告管理装置２の広告管理部２２は、番組受信機４の広告受信部４５から広告ＩＤ“ｃｍ０１”を含む広告管理情報の配信要求を受信すると、広告管理情報記憶部２１に記憶されている広告管理情報の中から、その広告ＩＤ“ｃｍ０１”が付与されている広告管理情報を検索し、その広告管理情報（広告配信装置３のホスト名“ｃｍ＿ｓｅｒｖｅｒ．ｘｘｘ．ｃｏ．ｊｐ”、広告ファイル名“ｓｐｏｎｓｏｒ０１／ｃｍ＿０９０３０１＿１２００．ｔｔｓ”）を番組受信機４に送信する（ステップＳＴ４４）。
【００４８】
番組受信機４の広告受信部４５は、広告管理装置２の広告管理部２２から広告管理情報を受信すると、その広告管理情報に含まれているホスト名“ｃｍ＿ｓｅｒｖｅｒ．ｘｘｘ．ｃｏ．ｊｐ”の広告配信装置３に対して、その広告管理情報における広告ファイル名“ｓｐｏｎｓｏｒ０１／ｃｍ＿０９０３０１＿１２００．ｔｔｓ”を含む広告配信要求を送信する（ステップＳＴ４５）。
【００４９】
広告配信装置３の広告配信部３２は、番組受信機４の広告受信部４５から広告ファイル名“ｓｐｏｎｓｏｒ０１／ｃｍ＿０９０３０１＿１２００．ｔｔｓ”を含む広告配信要求を受信すると、広告記憶部３１に記憶されている広告の中から、その広告ファイル名の広告（１）を検索し、番組受信機４に対する広告（１）の配信を開始する（ステップＳＴ４６）。
番組受信機４の広告受信部４５は、広告配信装置３の広告配信部３２が広告（１）の配信を開始すると、広告（１）の受信を開始する。
番組受信機４の再生部４６は、広告受信部４５が広告（１）を受信すると、その広告（１）を再生する（ステップＳＴ４７）。
【００５０】
次に、番組受信機４の広告受信部４５は、録画データ再生制御部４４から広告識別情報（２）を受けると、その広告識別情報（２）に含まれているホスト名“ｃｍ＿ｍａｎａｇｅｒ．ｘｘｘ．ｃｏ．ｊｐ”の広告管理装置２に対して、その広告識別情報（２）の広告ＩＤ“ｃｍ０２”を含む広告管理情報の配信要求を送信する（ステップＳＴ４８）。
【００５１】
広告管理装置２の広告管理部２２は、番組受信機４の広告受信部４５から広告ＩＤ“ｃｍ０２”を含む広告管理情報の配信要求を受信すると、広告管理情報記憶部２１に記憶されている広告管理情報の中から、その広告ＩＤ“ｃｍ０２”が付与されている広告管理情報を検索し、その広告管理情報（広告配信装置３のホスト名“ｃｍ＿ｓｅｒｖｅｒ．ｘｘｘ．ｃｏ．ｊｐ”、広告ファイル名“ｓｐｏｎｓｏｒ０２／ｃｍ＿０９０３１５＿１８００．ｔｔｓ”）を番組受信機４に送信する（ステップＳＴ４９）。
【００５２】
番組受信機４の広告受信部４５は、広告管理装置２の広告管理部２２から広告管理情報を受信すると、その広告管理情報に含まれているホスト名“ｃｍ＿ｓｅｒｖｅｒ．ｘｘｘ．ｃｏ．ｊｐ”の広告配信装置３に対して、その広告管理情報における広告ファイル名“ｓｐｏｎｓｏｒ０２／ｃｍ＿０９０３１５＿１８００．ｔｔｓ”を含む広告配信要求を送信する（ステップＳＴ５０）。
【００５３】
広告配信装置３の広告配信部３２は、番組受信機４の広告受信部４５から広告ファイル名“ｓｐｏｎｓｏｒ０２／ｃｍ＿０９０３１５＿１８００．ｔｔｓ”を含む広告配信要求を受信すると、広告記憶部３１に記憶されている広告の中から、その広告ファイル名の広告（２）を検索し、番組受信機４に対する広告（２）の配信を開始する（ステップＳＴ５１）。
番組受信機４の広告受信部４５は、広告配信装置３の広告配信部３２が広告（２）の配信を開始すると、広告（２）の受信を開始する。
番組受信機４の再生部４６は、広告受信部４５が広告（２）を受信すると、その広告（２）を再生する（ステップＳＴ５２）。
【００５４】
次に、番組受信機４の再生部４６は、録画データ再生制御部４４から本編Ｂのストリームを受けると、本編Ｂのストリームを再生する（ステップＳＴ５３）。
これにより、番組（１）の再生が終了する（ステップＳＴ５４）。
【００５５】
なお、図１０の例では、番組受信機４が、広告（１）と広告（２）に係る広告管理情報の配信要求を２回に分けて送信するものについて示したが、広告識別情報（１）（２）に含まれている広告管理装置２のホスト名が同じである場合には、１回の広告管理情報の配信要求に複数の広告ＩＤを含めることにより、１回の配信要求で広告（１）と広告（２）に係る広告管理情報が配信されるように要求してもよい。
また、図１０の例では、番組受信機４が、広告（１）と広告（２）に係る広告配信要求を２回に分けて送信するものについて示したが、広告管理装置２から配信された広告（１）と広告（２）に係る広告管理情報に含まれている広告配信装置３のホスト名が同じである場合には、１回の広告配信要求に複数の広告ＩＤを含めることにより、１回の広告配信要求で広告（１）（２）が配信されるように要求してもよい。
【００５６】
ここで、図１１は番組受信機４と広告管理装置２により送受信される広告管理情報の配信要求と広告管理情報の一例を示す説明図である。
図１１の例では、番組受信機４から広告管理装置２に送信される広告管理情報の配信要求には広告ＩＤが設定され、広告管理装置２から番組受信機４に送信される広告管理情報には広告ＩＤ、広告配信装置３のホスト名及び広告ファイル名が設定されている。
【００５７】
図１２は広告管理装置２において、図７の広告管理情報が管理されている場合、広告管理装置２から番組受信機４に送信される広告管理情報の一例を示す説明図である。
図１２の例では、広告ＩＤが“ｃｍ０１”の広告管理情報の配信要求に対する広告管理情報の応答として、広告配信装置３のホスト名“ｃｍ＿ｓｅｒｖｅｒ．ｘｘｘ．ｃｏ．ｊｐ”が設定され、広告ファイル名“ｓｐｏｎｓｏｒ０１／ｃｍ＿０９０３０１＿１２００．ｔｔｓ”が設定されている。
また、広告ＩＤが“ｃｍ０２”の広告管理情報の配信要求に対する広告管理情報の応答として、広告配信装置３のホスト名“ｃｍ＿ｓｅｒｖｅｒ．ｘｘｘ．ｃｏ．ｊｐ”が設定され、広告ファイル名“ｓｐｏｎｓｏｒ０２／ｃｍ＿０９０３１５＿１８００．ｔｔｓ”が設定されている。
【００５８】
図１３は番組受信機４と広告配信装置３により送受信される広告配信要求と広告配信応答（広告の配信に先立って配信される情報）の一例を示す説明図である。
図１３の例では、番組受信機４から広告配信装置３に送信される広告配信要求には広告ＩＤと広告ファイル名が設定され、広告配信装置３から番組受信機４に配信される広告配信応答には広告ＩＤと配信結果（ＯＫ／ＮＧ）が設定されている。
【００５９】
図１４は番組受信機４が録画された番組の本編及び広告を途切れることなく再生するために、再生部４６のバッファを制御する一例を示す説明図である。
図１４では、録画データ再生制御部４４から出力される番組の本編と、広告受信部４５により受信された番組の広告がバッファ内に格納されている状態を示している。データは左から順に格納され、左から順に再生されるものとする。
【００６０】
図１４（１）は、再生部４６がデータ記憶部４８に記憶された本編Ａのストリームを再生している状態を示している。このため、再生部４６のバッファ内には本編Ａのストリームのみが格納されている。
図１４（２）と図１４（３）は、本編Ａのストリームの再生が終了直前である状態を示している。
データ記憶部４８から読み込まれる本編Ａのストリームがなくなると、バッファの空きが増加する（図１４（２）を参照）。
再生部４６のバッファの空きが一定以上に増加すると、本編Ａに続く広告（１）を再生するために、広告配信装置３から広告（１）を受信する上述した一連の処理を実施し、広告配信装置３から配信された広告（１）のデータを再生部４６のバッファに格納する。このとき、広告（１）のデータは本編Ａのストリームの後ろに格納する（図１４（３）を参照）。
【００６１】
図１４（４）は、広告（１）の再生が終了直前である状態を示している。
本編Ａのストリームの再生が終了直前である状態と同様に、広告（１）の再生が終了直前の状態になると、再生部４６のバッファの空きが一定以上に増加する。
再生部４６のバッファの空きが一定以上に増加すると、広告（１）に続く広告（２）を再生するために、広告配信装置３から広告（２）を受信する上述した一連の処理を実施し、広告配信装置３から配信された広告（２）のデータを再生部４６のバッファに格納する。このとき、広告（２）のデータは広告（１）のデータの後ろに格納する（図１４（４）を参照）。
【００６２】
これにより、番組受信機４が録画された番組を再生する際に、番組の本編及び広告を途切れることなく再生することができる。
ここでは、番組の本編及び広告を通常再生する場合のバッファ制御の例を示したが、早送り、巻き戻し、チャプタなどの特殊再生を行う場合でも同様に、特殊再生の方法と速度を考慮して、番組の本編及び広告の再生が終了する前に後続の広告を受信すればよい。
【００６３】
図１の番組放送システムでは、広告配信装置３と別個に広告管理装置２が設けられているが、広告配信装置３が広告管理装置２の機能を備えることで、番組放送装置１と広告配信装置３と番組受信機４から番組放送システムを構成するようにしてもよい。
図１５はこの発明の実施の形態１による他の番組放送システムを示す構成図であり、図において、図１と同一符号は同一又は相当部分を示すので説明を省略する。
広告配信装置３の広告記憶部３３は例えばハードディスクなどの記憶装置であり、各種の広告を記憶し、また、広告ＩＤに対応する広告ファイル名からなる広告管理情報を記憶している。
【００６４】
広告配信装置３の広告管理部３４は図１の広告管理部２２と同様に、いずれかの装置によって広告が作成されると、その広告が番組放送装置１により配信される広告であれば、その広告を一意に識別する広告識別情報を生成し、その広告と広告識別情報を番組放送装置１の番組記憶部１１及び広告記憶部３３に登録する処理を実施する。
また、広告管理部３４は番組受信機４からネットワーク５経由で広告ＩＤを含む広告配信要求を受信すると、広告記憶部３３から広告配信要求に含まれている広告ＩＤに対応する広告ファイル名を読み込む処理を実施する。
広告配信装置３の広告配信部３５は広告記憶部３３に記憶されている広告の中から、広告管理部３４により読み込まれた広告ファイル名の広告を検索し、その広告をネットワーク５経由で番組受信機４に配信する処理を実施する。
【００６５】
番組受信機４が録画されている番組を再生する際に、広告配信装置３から広告を受信して再生する処理内容を説明する。
図１６は広告配信装置３及び番組受信機４が広告を送受信する際の処理内容を示すシーケンスである。
【００６６】
番組受信機４は、ユーザが録画されている番組の再生指示を行うと、再生処理を開始する（ステップＳＴ６１）。
即ち、番組受信機４の録画データ再生制御部４４は、ユーザがユーザ入力部４７を操作して、録画されている番組の再生指示を行うと、上述したように、データ記憶部４８に記録されている録画データを読み込み、その録画データにおける種別情報が本編を示していれば、その録画データの記憶内容である本編のストリームを再生部４６に出力し、その録画データにおける種別情報が広告を示していれば、その録画データの記憶内容である広告識別情報を広告受信部４５に出力する。
【００６７】
ここでは、説明の便宜上、ユーザが図５に示す番組（１）の再生指示を行っているものとする。
したがって、この場合、録画データ再生制御部４４が本編Ａのストリームを再生部４６に出力したのち、広告識別情報（１）及び広告識別情報（２）を広告受信部４５に出力し、その後、本編Ｂのストリームを再生部４６に出力する。
ただし、図１の番組放送システムにおける番組放送装置１は、図６に示すように、広告管理装置２のホスト名と、広告ＩＤとからなる広告識別情報（１）（２）を含むストリームを広告受信機４に配信しているが、図１５の番組放送システムでは、広告管理装置２が設けられていないので、図１７に示すように、広告配信装置３のホスト名と、広告ＩＤとからなる広告識別情報（１）（２）を含むストリームを広告受信機４に配信している。
【００６８】
番組受信機４の再生部４６は、録画データ再生制御部４４から本編Ａのストリームを受けると、本編Ａのストリームを再生する（ステップＳＴ６２）。
番組受信機４の広告受信部４５は、録画データ再生制御部４４から広告識別情報（１）を受けると、その広告識別情報（１）に含まれているホスト名“ｃｍ＿ｓｅｒｖｅｒ．ｘｘｘ．ｃｏ．ｊｐ”の広告配信装置３に対して、その広告識別情報（１）の広告ＩＤ“ｃｍ０１”を含む広告配信要求（図１９を参照）を送信する（ステップＳＴ６３）。
【００６９】
広告配信装置３の広告管理部３４は、番組受信機４の広告受信部４５から広告ＩＤ“ｃｍ０１”を含む広告配信要求を受信すると、広告記憶部３３に記憶されている広告管理情報を参照して、広告ＩＤ“ｃｍ０１”に対応する広告ファイル名を読み込み、その広告ファイル名を広告配信部３５に出力する。
ここで、図１８は広告記憶部３３に記憶されている広告管理情報の一例を示す説明図であり、広告管理情報は、広告ＩＤに対応する広告ファイル名のみから構成されている。因みに、図１の番組放送システムにおける広告管理情報記憶部２１に記憶されている広告管理情報は、広告ＩＤに対応する広告ファイル名の他に、広告ＩＤに対応する広告配信装置３のホスト名から構成されている。
【００７０】
広告配信装置３の広告配信部３５は、広告管理部３４から広告ファイル名を受けると、広告記憶部３３に記憶されている広告の中から、その広告ファイル名の広告（１）を検索し、番組受信機４に対する広告（１）の配信を開始する（ステップＳＴ６４）。
番組受信機４の広告受信部４５は、広告配信装置３の広告配信部３５が広告（１）の配信を開始すると、広告（１）の受信を開始する。
番組受信機４の再生部４６は、広告受信部４５が広告（１）を受信すると、その広告（１）を再生する（ステップＳＴ６５）。
【００７１】
次に、番組受信機４の広告受信部４５は、録画データ再生制御部４４から広告識別情報（２）を受けると、その広告識別情報（２）に含まれているホスト名“ｃｍ＿ｓｅｒｖｅｒ．ｘｘｘ．ｃｏ．ｊｐ”の広告配信装置３に対して、その広告識別情報（２）の広告ＩＤ“ｃｍ０２”を含む広告配信要求を送信する（ステップＳＴ６６）。
【００７２】
広告配信装置３の広告管理部３４は、番組受信機４の広告受信部４５から広告ＩＤ“ｃｍ０２”を含む広告配信要求を受信すると、広告記憶部３３に記憶されている広告管理情報を参照して、広告ＩＤ“ｃｍ０２”に対応する広告ファイル名を読み込み、その広告ファイル名を広告配信部３５に出力する。
広告配信装置３の広告配信部３５は、広告管理部３４から広告ファイル名を受けると、広告記憶部３３に記憶されている広告の中から、その広告ファイル名の広告（２）を検索し、番組受信機４に対する広告（２）の配信を開始する（ステップＳＴ６７）。
番組受信機４の広告受信部４５は、広告配信装置３の広告配信部３５が広告（２）の配信を開始すると、広告（２）の受信を開始する。
番組受信機４の再生部４６は、広告受信部４５が広告（２）を受信すると、その広告（２）を再生する（ステップＳＴ６８）。
【００７３】
次に、番組受信機４の再生部４６は、録画データ再生制御部４４から本編Ｂのストリームを受けると、本編Ｂのストリームを再生する（ステップＳＴ６９）。
これにより、番組（１）の再生が終了する（ステップＳＴ７０）。
【００７４】
なお、図１６の例では、番組受信機４が、広告（１）と広告（２）に係る広告配信要求を２回に分けて送信するものについて示したが、番組放送装置１から配信された広告（１）と広告（２）に係る広告識別情報に含まれている広告配信装置３のホスト名が同じである場合には、１回の広告配信要求に複数の広告ＩＤを含めることにより、１回の広告配信要求で広告（１）（２）が配信されるように要求してもよい。
【００７５】
以上で明らかなように、この実施の形態１によれば、番組放送装置１から配信されたストリームを受信するストリーム受信部４１と、ストリーム受信部４１により受信されたストリームから番組の本編、広告及び広告識別情報を分離するストリーム分離部４２と、番組を録画する操作がなされた場合、ストリーム分離部４２により分離された番組の本編をデータ記憶部４８に録画するとともに、ストリーム分離部４２により分離された広告識別情報をデータ記憶部４８に記録する録画部４３と、録画されている番組を再生する操作がなされた場合、録画データ再生制御部４４から出力された広告識別情報内の広告ＩＤを含む広告管理情報の配信要求を広告管理装置２に送信して、広告管理装置２から当該広告ＩＤに対応する広告管理情報（広告配信装置３のホスト名、広告ファイル名）を受信し、その広告ファイル名を含む広告配信要求を上記ホスト名を持つ広告配信装置３に送信して、その広告配信装置３から広告ファイル名の広告を受信する広告受信部４５とを設け、再生部４６が、録画されている番組を再生する操作がなされた場合、データ記憶部４８に録画されている番組の本編及び広告受信部４５により受信された広告を再生し、録画されていない番組を再生する操作がなされた場合、ストリーム分離部４２により分離された番組の本編及び広告を再生するように構成したので、番組受信機４のデータ記憶部４８が広告の録画データで消費されることなく、そのデータ記憶部４８を効率的に使用することができるとともに、番組受信機４が番組の途中から録画する場合や、番組を録画せずに視聴する場合でも、新しい広告を再生することができる効果を奏する。
【００７６】
即ち、広告配信装置３により配信される広告は、番組を放送する際の広告と長さが変更されていてもよい。また、再生時に配信される広告は、広告識別情報で識別しているので、同じ広告主の別の商品の広告に変更したり、全く別の広告主の広告に変更したり、あるいは、配信する日付や時刻によって、広告管理装置２で自由に変更することができる。
また、番組放送装置１が番組に含まれる広告と広告識別情報を対応付けてストリームを生成し、広告と広告識別情報を同時に配信しているので、番組受信機４において、番組を途中から録画する場合でも、番組に含まれる広告に対応する広告識別情報を番組受信機４に記憶することが可能となる。このため、途中から録画された番組を再生する場合でも、広告配信装置３により配信される新しい広告を再生することが可能となる。さらに、番組受信機４において、番組を録画せずに視聴する場合や、録画再生機能を備えていない受信番組機において番組を視聴する場合においても、広告を表示することが可能となる。
【００７７】
実施の形態２．
図２０はこの発明の実施の形態２による番組放送システムを示す構成図であり、図において、図１と同一符号は同一又は相当部分を示すので説明を省略する。
広告配信装置３の広告配信部３２における広告ストリーム生成部３２ａは番組受信機４からネットワーク５経由で広告ファイル名を含む広告配信要求を受信すると、広告記憶部３１から広告配信要求に含まれている広告ファイル名の広告を読み込み、その広告からストリームを生成する処理を実施する。
広告配信部３２の広告ストリーム配信部３２ｂは広告ストリーム生成部３２ａにより生成されたストリームをネットワーク５経由で番組受信機４に配信する処理を実施する。
番組受信機４の広告受信部４５における広告ストリーム受信部４５ａは広告配信装置３の広告ストリーム配信部３２ｂから配信されたストリームを受信する処理を実施する。
【００７８】
上記実施の形態１では、広告配信装置３の広告配信部３２が広告をネットワーク５経由で番組受信機４に配信するものについて示したが、広告配信装置３の広告配信部３２が広告を配信する際、広告配信部３２の広告ストリーム生成部３２ａが広告からストリームを生成し、広告配信部３２の広告ストリーム配信部３２ｂが広告ストリーム生成部３２ａにより生成されたストリームをネットワーク５経由で番組受信機４に配信するようにしてもよい。
この場合、番組受信機４の広告受信部４５における広告ストリーム受信部４５ａが、広告配信装置３の広告ストリーム配信部３２ｂから配信されたストリームを受信し、番組受信機４の再生部４６が広告ストリーム受信部４５ａにより受信されたストリームを再生する。
【００７９】
このように、広告をストリーム配信するようにすると、番組受信機４では、広告を一旦蓄積することなく、広告を再生することができる。
なお、この実施の形態２では、広告ストリーム配信部３２ｂが広告をストリーム配信するものについて示したが、番組受信機４から広告をストリームで配信する要求を受けたときに、広告をストリーム配信し、番組受信機４から広告をストリームで配信する要求を受けなければ、上記実施の形態１のように、広告を配信するようにしてもよい。
【００８０】
実施の形態３．
図２１はこの発明の実施の形態３による番組放送システムを示す構成図であり、図において、図１と同一符号は同一又は相当部分を示すので説明を省略する。
広告配信装置３の広告配信部３２における広告ダウンロード配信部３２ｃは番組受信機４からネットワーク５経由で広告ファイル名を含む広告配信要求を受信すると、広告記憶部３１から広告配信要求に含まれている広告ファイル名の広告を読み込み、その広告を番組受信機４にダウンロード配信する。
【００８１】
番組受信機４の広告受信部４５における広告ダウンロード部４５ｂは広告配信装置３の広告ダウンロード配信部３２ｃからダウンロード配信された広告を受信する処理を実施する。
番組受信機４の録画部４９は図１の録画部４３と同様の処理を実施するほか、広告ダウンロード配信部３２ｃにより受信された広告をデータ記憶部５１に録画する処理を実施する。なお、録画部４９は録画手段を構成している。
【００８２】
番組受信機４の再生部５０はユーザがユーザ入力部４７を操作して、録画されている番組の再生指示を行うと、録画データ再生制御部４４によりデータ記憶部５１から読み込まれた番組の本編及び広告をＨ．２６４やＭＰＥＧ−２等の符号化方式にしたがって映像や音声等のデータに復号化して再生する処理を実施する。
また、再生部５０はユーザがユーザ入力部４７を操作して、録画されていない番組の再生指示を行うと、ストリーム分離部４２により分離された番組の本編及び広告をＨ．２６４やＭＰＥＧ−２等の符号化方式にしたがって映像や音声等のデータに復号化して再生する処理を実施する。
なお、再生部５０は再生手段を構成している。
番組受信機４のデータ記憶部５１は例えばハードディスクなどの記憶装置であり、番組の本編、広告及び広告識別情報などを記憶する。
【００８３】
上記実施の形態１では、広告配信装置３の広告配信部３２が広告をネットワーク５経由で番組受信機４に配信するものについて示したが、広告配信装置３の広告配信部３２が広告を配信する際、広告配信部３２の広告ダウンロード配信部３２ｃが広告をネットワーク５経由で番組受信機４にダウンロード配信するようにしてもよい。
この場合、番組受信機４の広告受信部４５における広告ダウンロード部４５ｂが、広告配信装置３の広告ダウンロード配信部３２ｃからダウンロード配信された広告を受信し、番組受信機４の録画部４９が広告ダウンロード配信部３２ｃにより受信された広告をデータ記憶部５１に録画する。
そして、録画されている番組を再生する場合、番組受信機４の録画データ再生制御部４４がデータ記憶部５１から番組の本編及び広告を読み出し、番組受信機４の再生部５０が録画データ再生制御部４４により読み出された番組の本編及び広告を再生する。
【００８４】
ここでは、広告配信部３２の広告ダウンロード配信部３２ｃが広告をダウンロード配信するものについて示したが、番組受信機４から広告をダウンロード配信する要求を受けたときに、広告をダウンロード配信し、番組受信機４から広告をダウンロード配信する要求を受けなければ、上記実施の形態１のように広告を配信し、あるいは、上記実施の形態２のように広告をストリーム配信するようにしてもよい。
【００８５】
ここで、図２２は広告管理装置２により管理されている広告管理情報の一例を示す説明図である。
図２２に示す広告管理情報は、広告配信装置３のホスト名や広告ファイル名のほかに、配信方法、更新時刻及び有効期限が追加されている。
図２２に示す広告管理情報の配信方法は、番組受信機４が広告配信装置３から広告の配信を受ける際、例えば、ストリームで配信されるのか、ダウンロードで配信されるのかを意味する。
また、図２２に示す広告管理情報の更新時刻は、広告ＩＤで一意に識別される広告が更新された時刻を意味する。
図２２に示す広告管理情報の有効期限は、広告の有効期限を意味する。
広告管理装置２の広告管理部２２は、番組受信機４から広告管理情報の配信要求を受信すると、図２２に示す広告管理情報を番組受信機４に送信する。
【００８６】
図２３は番組受信機４が録画された番組を再生する際に、広告（２）がダウンロードされている場合のデータ記憶部５１の記憶内容の一例を示す説明図である。
図２３の例では、広告ＩＤが“ｃｍ０１”の広告（１）は、上記実施の形態１と同様に、広告識別情報だけが記憶されているが、広告ＩＤが“ｃｍ０２”の広告（２）は、広告識別情報に加えて、広告管理情報とダウンロード済み広告が記憶されている。
【００８７】
広告管理装置２の広告管理部２２は、図２２に示すように、ダウンロード配信する広告に対して、広告の更新時刻及び有効期限を設定し、番組受信機４がダウンロード済み広告を記憶する際に、広告の更新時刻及び有効期限を記憶することにより、例えば、番組受信機４が同じ番組を繰り返し再生する場合に、１つまたは複数の番組に広告識別情報が同じ広告が含まれている場合に、あるいは、広告識別情報で一意に識別される広告がダウンロード済みであり、広告の有効期限以内に再生する場合に、番組受信機４がダウンロード済み広告の配信を要求する必要がなくなり、ネットワーク５の帯域を効率的に使用することができる。
【００８８】
また、広告管理装置２が管理している広告に更新時刻を設定しているので、番組受信機４が録画している番組を再生する際に、ダウンロード済み広告であっても、ダウンロード済み広告の更新時刻と、広告管理装置２が管理している広告の更新時刻を比較し、広告管理装置２が管理している広告の方が新しい場合には、新しい広告を受信するようにしてもよい。
また、番組受信機４が、有効期限が切れたダウンロード済み広告を削除することにより、番組受信機４のデータ記憶部５１を効率的に使用することができる。
なお、ダウンロード済み広告を削除する方法として、広告に有効期限を設定する方法のほかに、番組受信機４が広告をダウンロードした時刻を記録し、ダウンロード時刻が古いものから順番に削除する方法や、番組受信機４が、最後に広告が再生された時刻を記録し、最終再生時刻が古いものから順番に削除する方法等があり、これらの方法のいずれか、または、これらの方法の組み合わせによって広告を削除するようにしてもよい。
【００８９】
以上で明らかなように、この実施の形態３によれば、番組受信機４の広告受信部４５における広告ダウンロード部４５ｂが、広告配信装置３の広告ダウンロード配信部３２ｃからダウンロード配信された広告を受信し、番組受信機４の録画部４９が広告ダウンロード部４５ｂにより受信された広告をデータ記憶部５１に録画するように構成したので、番組受信機４が同じ広告を再生する際に、同じ広告を繰り返し受信することなく、最新の広告を再生することが可能となり、ネットワーク５の帯域を効率的に使用することができる効果を奏する。
【００９０】
実施の形態４．
図２４はこの発明の実施の形態４による番組放送システムを示す構成図であり、図において、図１と同一符号は同一又は相当部分を示すので説明を省略する。
番組受信機４の録画部４３における広告録画制御部４３ａはストリーム分離部４２により分離された広告が録画対象の広告であるか否かを判定し、録画対象の広告であれば、その広告の録画を録画部４３に指示する処理を実施する。
【００９１】
番組受信機４の再生部５２はユーザがユーザ入力部４７を操作して、録画されている番組の再生指示を行うと、録画データ再生制御部４４によりデータ記憶部４８から読み込まれた番組の本編を再生するとともに、データ記憶部４８に広告が録画されていれば、その広告を再生し、データ記憶部４８に広告が録画されていなければ、広告受信部４５により受信された広告を再生する処理を実施する。
また、再生部５２は図１の再生部４６と同様に、ユーザがユーザ入力部４７を操作して、録画されていない番組の再生指示を行うと、ストリーム分離部４２により分離された番組の本編及び広告を再生する処理を実施する。
なお、再生部５２は再生手段を構成している。
【００９２】
上記実施の形態１では、番組受信機４の録画部４３が、ストリーム分離部４２により分離された番組の本編又は広告識別情報をデータ記憶部４８に記録するものについて示したが、ストリーム分離部４２により分離された広告が録画対象の広告であるか否かを判定し、録画対象の広告であれば、その広告をデータ記憶部４８に録画するようにしてもよい。
以下、番組受信機４の録画部４３が番組の本編や広告等を録画する際の処理内容を説明する。
図２５は番組受信機４におけるストリームの録画処理を示すフローチャートである。
【００９３】
まず、番組受信機４のストリーム分離部４２は、ストリーム受信部４１が番組放送装置１から配信されたストリームを受信すると（ステップＳＴ７１）、上記実施の形態１と同様に、そのストリームから番組の本編、広告及び広告識別情報を分離する（ステップＳＴ７２）。
【００９４】
番組受信機４の録画部４３は、ユーザがユーザ入力部４７を操作して、番組の録画設定を行っている場合、上記実施の形態１と同様に、ストリーム分離部４２により分離されて出力されたストリームが番組の本編であれば（ステップＳＴ７３“ＮＯ”）、番組の本編をデータ記憶部４８に録画する（ステップＳＴ７４）。
録画部４３の広告録画制御部４３ａは、ストリーム分離部４２により分離されて出力されたストリームが広告であれば（ステップＳＴ７３“ＹＥＳ”）、その広告が録画対象の広告であるか否かを判定する。
【００９５】
広告が録画対象の広告であるか否かを判定する方法としては、例えば、番組放送装置１がストリームを配信する際、そのストリームに含まれている広告の録画を推奨する場合、その広告を識別する広告識別情報に録画推奨マークを付加し、広告録画制御部４３ａがストリーム分離部４２により分離された広告識別情報に録画推奨マークが付加されていれば、ストリーム分離部４２により分離された広告が録画対象の広告であると判別する方法がある。
また、ユーザがユーザ入力部４７を操作して、番組の録画設定を行う際、番組の本編だけでなく、広告も録画する設定を行う方法なども挙げられる。
【００９６】
広告録画制御部４３ａは、録画対象の広告であると判別すれば、その広告の録画を録画部４３に指示し、録画対象の広告であると判別しなければ、その広告を録画せずに、その広告の広告識別情報の記録のみを録画部４３に指示する。
録画部４３は、広告録画制御部４３ａから広告識別情報のみを記録する指示を受けると（ステップＳＴ７５“ＮＯ”）、上記実施の形態１と同様に、広告識別情報をデータ記憶部４８に記録する（ステップＳＴ７６）。
録画部４３は、広告録画制御部４３ａから広告の録画指示を受けると（ステップＳＴ７５“ＹＥＳ”）、ストリーム分離部４２により分離された広告をデータ記憶部４８に録画するとともに、その広告を識別する広告識別情報をデータ記憶部４８に記録する（ステップＳＴ７７）。
【００９７】
ユーザがユーザ入力部４７を操作して、番組の録画を終了する指示を与えた場合や、番組の予約時間の終了時刻になると（ステップＳＴ７８“ＹＥＳ”）、録画処理を終了する。
一方、録画処理を継続する場合には（ステップＳＴ７８“ＮＯ”）、ステップＳＴ７１〜ＳＴ７８の処理を繰り返し実施する。
【００９８】
なお、番組受信機４のデータ記憶部４８に録画された広告は、上記実施の形態３で示したダウンロード済み広告を削除する方法と同様に、広告の有効期限や最終再生日時等に基づいて、データ記憶部４８に録画されている広告を削除するようにしてもよい。
また、広告を削除する場合でも、広告識別情報を記録しておくことにより、次に番組を再生する際に、新しい広告を受信して再生することができる。
【００９９】
番組受信機４の再生部５２は、ユーザがユーザ入力部４７を操作して、録画されている番組の再生指示を行うと、録画データ再生制御部４４によりデータ記憶部４８から読み込まれた番組の本編を再生するとともに、データ記憶部４８に広告が録画されていれば（番組放送装置１が録画対象の広告が配信されている場合）、その広告を再生し、データ記憶部４８に広告が録画されていなければ、上記実施の形態１と同様に、広告受信部４５により受信された広告を再生する。
また、再生部５２は、ユーザがユーザ入力部４７を操作して、録画されていない番組の再生指示を行うと、上記実施の形態１と同様に、ストリーム分離部４２により分離された番組の本編及び広告を再生する。
【０１００】
以上で明らかなように、この実施の形態４によれば、番組受信機４が番組の本編を録画する際、番組放送装置１又は番組受信機４において広告を選択して録画するように構成したので、番組受信機４が更新する必要のない広告を再生する場合や、番組が放送された時点の広告をユーザが録画したい場合に、広告を録画することができる効果を奏する。また、広告の有効期限を設定して録画推奨マークを付加することにより、番組が録画されてから一定期間、広告配信要求が行われないようにすることができるため、広告管理装置２や広告配信装置３に対する広告配信の負荷を軽減することができる効果を奏する。
【０１０１】
実施の形態５．
図２６はこの発明の実施の形態５による番組放送システムを示す構成図であり、図において、図１と同一符号は同一又は相当部分を示すので説明を省略する。
番組受信機４の録画データ複製部５３は、例えばユーザがユーザ入力部４７を操作して、番組の複製指示を行うと、データ記憶部４８に記録されている番組の本編及び広告識別情報、または、データ記憶部４８に記録されている番組の本編及び広告識別情報と広告受信部４５により受信された広告（ダウンロード配信されてデータ記憶部４８に記録されている広告を含む）を他の記録媒体（例えば、ハードディスクなどの記憶装置、ＤＶＤ、ＢＤなど）に複製する処理を実施する。なお、録画データ複製部５３は複製手段を構成している。
【０１０２】
上記実施の形態１では、番組受信機４の録画部４３が番組の本編等をデータ記憶部４８に録画するものについて示したが、録画データ複製部５３を番組受信機４に搭載し、例えば、ユーザがユーザ入力部４７を操作して、番組の複製指示を行うと、録画データ複製部５３が、データ記憶部４８に記録されている番組の本編及び広告識別情報、または、データ記憶部４８に記録されている番組の本編及び広告識別情報と広告受信部４５により受信された広告（ダウンロード配信されてデータ記憶部４８に記録されている広告を含む）を他の記録媒体に複製するようにしてもよい。
【０１０３】
ここで、図２７はデータ記憶部４８に記録されている番組の本編及び広告識別情報を複製する際の録画データの一例を示す説明図である。
図２７に示すように、広告識別情報を複製することにより、複製された番組の本編を再生する際、その広告識別情報に基づいて、広告配信装置３から新しい広告を受信し、新しい広告を再生することが可能になる。
また、図２８はデータ記憶部４８に記録されている番組の本編及び広告識別情報と広告受信部４５により受信された広告を複製する際の録画データの一例を示す説明図である。
図２８に示すように、ストリーム受信又はダウンロード配信された広告を複製することにより、広告配信装置３からネットワーク５経由で広告を受信できない装置においても、複製された番組の本編を再生する際、広告を再生することが可能になる。
【０１０４】
実施の形態６．
図２９はこの発明の実施の形態６による番組放送システムを示す構成図であり、図において、図１と同一符号は同一又は相当部分を示すので説明を省略する。
広告管理装置２の広告管理部２２における配信回数集計部２２ａは広告管理部２２から番組受信機４に配信される各広告の配信回数、即ち、番組受信機４から各広告が配信要求された回数を集計する処理を実施する。なお、配信回数集計部２２ａは配信回数集計手段を構成している。
【０１０５】
上記実施の形態１では、広告配信装置３の広告配信部３２が番組受信機４から要求された広告を番組受信機４に配信するものについて示したが、配信回数集計部２２ａを広告管理部２２に搭載し、その広告管理部２２の配信回数集計部２２ａが番組受信機４から広告管理情報の配信要求を受信したとき、その配信要求に含まれている広告ＩＤに係る広告の配信回数をカウントアップすることで、広告配信装置３から配信される各広告の配信回数を集計するようにしてもよい。
【０１０６】
以上より、従来の番組放送システムでは、番組受信機が録画されている番組の本編を再生する際に、広告を再生している回数を集計することができなかったが、配信回数集計部２２ａを広告管理部２２に搭載することで、広告配信装置３から配信される各広告の配信回数を集計することができる。
これにより、広告の配信実績に基づいて広告料を設定することなどが可能になる。
【０１０７】
上記実施の形態１〜６では、番組放送装置１、広告管理装置２、広告配信装置３及び番組受信機４が番組放送システム内にそれぞれ１つ含まれている構成を示したが、これらの装置が番組放送システム内に複数含まれている構成であってもよい。
また、上記実施の形態１〜６では、番組受信機４が１つの番組を録画した後、録画した番組を再生する例を示したが、番組受信機４が複数の番組を同時に録画する場合や、番組受信機４が番組を録画しながら別の録画した番組を再生する場合や、番組受信機４が録画中の番組を再生する場合であっても同様に、番組受信機４が番組を再生する際、広告配信装置３から新しい広告を受信して再生することができる。
【符号の説明】
【０１０８】
１  番組放送装置、２  広告管理装置、３  広告配信装置、４  番組受信機、５  ネットワーク、１１  番組記憶部、１２  ストリーム生成部、１３  ストリーム配信部、２１  広告管理情報記憶部、２２  広告管理部、２２ａ  配信回数集計部（配信回数集計手段）、３１  広告記憶部、３２  広告配信部、３２ａ  広告ストリーム生成部、３２ｂ  広告ストリーム配信部、３２ｃ  広告ダウンロード配信部、３３  広告記憶部、３４  広告管理部、３５  広告配信部、４１  ストリーム受信部（ストリーム受信手段）、４２  ストリーム分離部（分離手段）、４３  録画部（録画手段）、４３ａ  広告録画制御部、４４  録画データ再生制御部（広告受信手段）、４５  広告受信部（広告受信手段）、４５ａ  広告ストリーム受信部、４５ｂ  広告ダウンロード部、４６  再生部（再生手段）、４７  ユーザ入力部、４８  データ記憶部、４９  録画部（録画手段）、５０  再生部（再生手段）、５１  データ記憶部、５２  再生部（再生手段）、５３  録画データ複製部（複製手段）。
【図１】
2010283738.tif 000003
【図２】
2010283738.tif 000004
【図３】
2010283738.tif 000005
【図４】
2010283738.tif 000006
【図５】
2010283738.tif 000007
【図６】
2010283738.tif 000008
【図７】
2010283738.tif 000009
【図８】
2010283738.tif 000010
【図９】
2010283738.tif 000011
【図１０】
2010283738.tif 000012
【図１１】
2010283738.tif 000013
【図１２】
2010283738.tif 000014
【図１３】
2010283738.tif 000015
【図１４】
2010283738.tif 000016
【図１５】
2010283738.tif 000017
【図１６】
2010283738.tif 000018
【図１７】
2010283738.tif 000019
【図１８】
2010283738.tif 000020
【図１９】
2010283738.tif 000021
【図２０】
2010283738.tif 000022
【図２１】
2010283738.tif 000023
【図２２】
2010283738.tif 000024
【図２３】
2010283738.tif 000025
【図２４】
2010283738.tif 000026
【図２５】
2010283738.tif 000027
【図２６】
2010283738.tif 000028
【図２７】
2010283738.tif 000029
【図２８】
2010283738.tif 000030
【図２９】
2010283738.tif 000031